(57)【要約】【課題】それぞれの観察状況または観察位置に応じて見やすい映像を提供できる映像表示スクリーンを提供する。【解決手段】見る方向により異なる映像が観察可能な表示装置であって、第１観察者用の第１表示画素および第２観察者用の第２表示画素が交互に配列された表示パネルと、前記第１表示画素からの射出光と前記第２表示画素からの射出光とをそれぞれ異なる方向に射出するための光学要素からなり、前記第１表示画素の大きさと前記第２表示画素の大きさが異なる。【選択図】      図３
2006317941.tif 000002
【特許請求の範囲】
【請求項１】
見る方向により異なる映像が観察可能な表示装置であって、
第１観察者用の第１表示画素および第２観察者用の第２表示画素が交互に配列された表示パネルと、
前記第１表示画素からの射出光と前記第２表示画素からの射出光とをそれぞれ異なる方向に射出するための光学要素からなり、
前記第１表示画素の大きさと前記第２表示画素の大きさが異なることを特徴とする、
映像表示装置。
【請求項２】
見る方向により異なる映像が観察可能な表示装置であって、
第１観察者用の第１表示画素群および第２観察者用の第２表示画素群が交互に配列された表示パネルと、
前記第１表示画素群からの射出光と前記第２表示画素群からの射出光とをそれぞれ異なる方向に射出するための光学要素からなり、
前記第１表示画素群の画素数と前記第２表示画素群の画素数が異なることを特徴とする、
映像表示装置。
【発明の詳細な説明】
【技術分野】
【０００１】
本発明は、１つの表示面において見る方向により異なる映像を見ることができる映像表示スクリーンに関するものである。
【背景技術】
【０００２】
従来より、種々の映像表示スクリーンが知られている。例えば、特開平６−２３０７３８号公報は、２台のプロジェクターを用いて映像を２方向からスクリーンへ投影する多画面映像表示方法を開示している。また、特開平１１−２４９２４２号公報は、指向性スクリーンおよび画像表示装置に関しており、投影映像光の指向性を変更することを開示している。
【０００３】
また、特開平８−２２０７７号公報や特開平５−６１１２０号公報は、リアプロジェクション（背面投射型）用スクリーンに関する技術を開示している。
【０００４】
また、特開平１１−１１９１５４号公報や特開平８−１８６８４９号公報は、リアプロジェクション（背面投射型）３Ｄ表示装置に関する技術を開示している。
【０００５】
さらに、特開平７−５９１１７号公報は、ＬＣＤとレンチキュラとを用いた３Ｄ表示に関する技術を開示している。
【特許文献１】特開平６−２３０７３８号公報
【特許文献２】特開平１１−２４９２４２号公報
【特許文献３】特開平８−２２０７７号公報
【特許文献４】特開平５−６１１２０号公報
【特許文献５】特開平１１−１１９１５４号公報
【特許文献６】特開平８−１８６８４９号公報
【特許文献７】特開平７−５９１１７号公報
【発明の開示】
【発明が解決しようとする課題】
【０００６】
しかしながら、特開平６−２３０７３８号公報には以下の問題点がある。
【０００７】
１．左右それぞれの映像表示に対して、それぞれの観察領域における視野角は同じであり、左右での観察条件が異なる場合には見やすい映像を提供できない。例えば、車載用のモニターを考える。運転手はカーナビゲーション（以下、カーナビと称する）の映像を一人で見ており、助手席と後部座席の人はＴＶの映像を見るという行為を１台のモニターで行う場合、左右それぞれの映像表示の視野角が同じなので、運転手と助手席及び後部座席の人がともに見やすい映像を提供することができない。
【０００８】
２．外光反射防止対策がされていない。
【０００９】
３．観察位置がスクリーン面を基準にして投影口と略面対称の位置にあり、投影角度がきつくなり、歪のない映像を投影させるのが困難である。
【００１０】
４．ダブルレンチキュラに拡散板を挟んだ構造であるが、この方法では拡散角が強い拡散板を使用しなければ実現できないため光の利用効率が悪く高輝度の光源を必要とする。
【００１１】
５．迷光も多く発生することが考えられ、画質が劣化してしまう。
【００１２】
また、特開平１１−２４９２４２号公報には以下の問題点がある。
【００１３】
１．１つの投影光を２つに分ける機能を有しているが、異なる位置にいる別々の人に異なる映像を提供するのに適した構成ではない。
【００１４】
２．この方式ではスクリーンに対して垂直方向から入射させるのが最もよく、スクリーンに対して角度が付くほど、所望の観察位置に届く光線は少なくなり迷光が多くなる。略４５°付近では完全に破綻してしまう。そのため、スクリーン面を凹面にするなどの対策が必要になる。
【００１５】
また、特開平８−２２０７７号公報や特開平５−６１１２０号公報に記載のような、通常のリアプロジェクション用スクリーンには以下の問題点がある。
【００１６】
フレネル、レンチキュラ、拡散板などを組み合わせたタイプのスクリーンはすでに多数存在している。また、１方向投影タイプのスクリーンも多数存在するが、２方向投影に対応させたスクリーンについての提案は存在しない。
【００１７】
また、２方向投影式ではスクリーンの構造、レンチキュラレンズの配置が通常と異なる。
【００１８】
反射防止策として、レンチキュラの光線が通らない部分にはマスクをかける技術があるが、２方向投影用スクリーンと比べて、通常のリアプロジェクション用スクリーンではマスクの配置が異なっているため、１方向投影用スクリーンでは２方向投影方式としては使用できない。
【００１９】
また、特開平１１−１１９１５４号公報や特開平８−１８６８４９号公報に記載のリアプロジェクション３Ｄ表示装置には、以下の問題点がある。これらの先行技術においても、スクリーンが一つで２方向から投影する構造を開示しているが、３Ｄ表示を行なう場合には、通常左右映像の分離角は少なく、また左右映像が混ざり合わないように（クロストークしないように）するために、拡散作用を持たせないか、または拡散角を非常に小さくするのが一般的である、つまりここで使われているスクリーンは本発明の目的には使用することができない。
【００２０】
また、上記と違うタイプとしてはダブルレンチキュラに拡散板を挟んだスクリーンを利用するものがある。しかしながら、このような構成についても上記特開平６−２３０７３８号公報で述べた課題と同様の課題を有している。
【００２１】
また、特開平７−５９１１７号公報に記載のＬＣＤとレンチキュラとを用いた３Ｄ表示においては、３Ｄ表示が目的であるので、左右映像の分離角が少なくこのままの形では多画面映像表示用として適さない。さらに、左右映像での視野角は同じである。
【００２２】
本発明はこのような課題に着目してなされたものであり、その主な目的とするところは、それぞれの観察状況に応じて見やすい映像を提供できる映像表示スクリーンを提供することにある。
【課題を解決するための手段】
【００２３】
上記の目的を達成するために、本発明の第１の態様は、見る方向により異なる映像が観察可能な表示装置であって、第１観察者用の第１表示画素および第２観察者用の第２表示画素が交互に配列された表示パネルと、前記第１表示画素からの射出光と前記第２表示画素からの射出光とをそれぞれ異なる方向に射出するための光学要素からなり、前記第１表示画素の大きさと前記第２表示画素の大きさが異なる。
【００２４】
また、本発明の第２の態様は、見る方向により異なる映像が観察可能な表示装置であって、第１観察者用の第１表示画素群および第２観察者用の第２表示画素群が交互に配列された表示パネルと、前記第１表示画素群からの射出光と前記第２表示画素群からの射出光とをそれぞれ異なる方向に射出するための光学要素からなり、前記第１表示画素群の画素数と前記第２表示画素群の画素数が異なる。
【００２５】
第１及び第２の態様は、例えば、後述する実施の形態の図８、図９の構成に対応する。
【発明の効果】
【００２６】
本発明によれば、複数の映像を、観察者の位置によって選択的にそれぞれの観察状況またはそれぞれの観察位置に応じて見やすい映像となるように投影する映像表示スクリーンを提供することができる。
【発明を実施するための最良の形態】
【００２７】
まず、本実施形態の概略として、上記した従来技術の課題を解決するための構成を以下に述べる。
【００２８】
観察する方向により異なる映像を提供可能な多画面映像表示装置が知られているが、その表示方式として、リアプロジェクション方式、フロントプロジェクション方式、ＬＣＤとレンチキュラとを組み合わせた方式、などがある。
【００２９】
まず、リアプロジェクション方式のスクリーンにおいて、本実施形態では、上記した特開平６−２３０７３８号公報についての１．の課題を解決するために、ダブルレンチキュラあるいはレンチキュラ及びストライプ構造の拡散板などの特殊なスクリーン構造を採用する。
【００３０】
また、２．の課題を解決するために、スクリーンとしてストライプ状のマスクを配置する。ただし、反射防止スクリーンは普通のリアプロジェクション方式のスクリーンにも採用されているが、本発明では映像光が２方向から投影されるため、通常のリアプロジェクション用スクリーンの反射防止マスクとは配置が異なる。
【００３１】
また、３．の課題を解決するために、スクリーンとしてダブルレンチキュラあるいはレンチキュラとプリズムあるいはレンチキュラを組み合わせた特殊なスクリーン構造を採用する。
【００３２】
また、４．の課題を解決するために、スクリーンとして、拡散角の大きい拡散板を使用しない。左右映像を分離する部分においては拡散板は使用せず、レンチキュラなどで構成された特殊スクリーンで左右映像を分離し、瞳の拡大（視野角の拡大）のために弱い拡散板を使用する。
【００３３】
また、５．の課題を解決するために、ダブルレンチキュラ内には拡散板を挟まない構造を採用する。
【００３４】
また、特開平１１−２４９２４２号公報についての１．及び２．の課題を解決するために、回帰ミラー構造を使用しない構造を採用する。
【００３５】
次に、ＬＣＤとレンチキュラとを組み合わせた方式のスクリーンについて説明する。左右方向からのそれぞれ異なる映像を観察する場合に、右側映像で使用する開口のサイズと、左側映像で使用する開口のサイズをそれぞれ変えることで左右方向で異なる視野角を実現する。
【００３６】
また、別の方法としては、右側映像で使用する画素数と、左側映像で使用する画素数を変えることで左右の視野角を制御することが可能である。
【００３７】
以下、図面を参照して本発明の一実施形態を詳細に説明する。
【００３８】
図１は、本発明の一実施形態の基本的概念を説明するための図である。図１において、所定の間隔を持たせて配置された一対の表示素子３−１，３−２からの映像光は一対の投影レンズ２−１，２−２により単一のスクリーン面１に投影される。スクリーン面１に投影された映像を見るために、人物４がスクリーン面１を挟んで図の左側に位置しており、人物５、人物６がスクリーン面１を挟んで図の右側に位置している。このとき、人物４と、人物５及び人物６とはスクリーン面１を見る方向が異なるので、それぞれ異なった映像を同時に見ることになる。このような多画面映像表示において、本発明では、人物４が見る映像の視野角と、人物５及び６が見る映像の視野角とを異ならせた光学的構成を採用したことを特徴とする。すなわち、スクリーン面１を挟んで図の左側には一人の人物４のみが位置しているので視野角を小さくし、図の右側には複数の人物５及び６が位置しているので視野角が大きくなるようにする。このような光学的構成により、本発明では、それぞれの観察状況に応じて見やすい映像を提供することができる。
【００３９】
図２は、リアプロジェクション方式の多画面映像表示装置の構成を示す図である。表示素子１０−１からの映像光は投影レンズ１１−１によりフレネルレンズ等で構成される凸レンズ１２に投影される。また、表示素子１０−２からの映像光は投影レンズ１１−２により該凸レンズ１２に投影される。投影レンズ１１−１，１１−２からの映像光はこの凸レンズ１２により略平行光に変換されてスクリーン１３に到達する。スクリーン１３は投影された映像の視野角を拡大する機能を有し、複数の映像が観察者の位置によって選択的に観察者の眼球に投影される。すなわち、スクリーン１３の前面に位置する観察者１４−１は表示素子１０−２からの映像を見ることができ、観察者１４−２は表示素子１０−１からの映像を見ることができる。
【００４０】
なお、表示素子１０−１，１０−２はＬＣＤ、ＬＣＯＳ（反射型液晶）、ＯＬＥＤ、ＤＭＤ（マイクロミラーアレイ）などで構成される。また、スクリーン１３は、拡散板、レンチキュラ、マイクロレンズアレイ、ダブルレンチキュラ、あるいはプリズムシートなどで構成されるか、あるいは、それらの組み合わせにより構成される。
【００４１】
図３は、リアプロジェクション方式の多画面映像表示装置において、視野角を左右映像ごとに異ならせる第１の光学的構成を示す図である。リアプロジェクション方式では、一対の表示素子から出力された左右方向からの映像光がそれぞれ角度をもってスクリーン上に投影される。そこで、ここでは、左右方向からの映像光２０，２１をそれぞれ異なる位置に集光させるために、スクリーンの裏面（入射側）に光学素子群としてレンチキュラ２２を配置するとともに、各集光位置の光が異なる拡散角で射出されるように当該スクリーンの表面（射出側）を各集光位置毎に異なる表面形状とする。ここでは、映像光２０の集光位置に拡散板２３を配置し、映像光２１の集光位置には拡散板２３を配置しないことにより、又は、映像光２１の集光位置と映像光２０の集光位置で異なる拡散角になるような表面処理をスクリーン表面に対して行なうことにより、複数種の光拡散部を実現する。
【００４２】
このような構成によれば、左方向からの映像光２０は拡散板２３により小さな拡散角で射出され、右方向からの映像光２１は大きな拡散角で射出される。このようにして、左右映像ごとに視野角を異ならせることが出来る。
【００４３】
図４は、リアプロジェクション方式の多画面映像表示装置において、視野角を左右映像ごとに異ならせる第２の光学的構成を示す図である。ここでは、一対の表示素子から出力された左右方向からの映像光３０，３１をそれぞれ異なる位置に集光させるために、スクリーンの裏面（入射側）に第１の光学素子群として第１のレンチキュラ３２を配置するとともに、各集光位置の光が異なる拡散角で射出されるように当該スクリーンの表面（射出側）に第２の光学素子群として第２のレンチキュラ３３を配置している。
【００４４】
第１のレンチキュラ３２の山部３４、１つ分の位置には、第２のレンチキュラ３３の山部２つ、３５−１と３５−２が対応しており、第２のレンチキュラ３３の山部の大きさｒは、第１のレンチキュラ３２の山部の大きさ２ｒの半分になっている。さらに、前記第２のレンチキュラ３３の山部２つ、３５−１と３５−２は互いに異なる形状（曲率）を有している。また、前記２つの山部３５−１と３５−２はそれぞれ異なる向きで設けても良い。さらに、第２のレンチキュラ３３の山部は、第１のレンチキュラ３２の山部の複数分の１の大きさであるようにして、第１のレンチキュラ３２の山部１つ分に対応する位置に複数個設けても良い。
【００４５】
このような構成によれば、右方向からの映像光３０は大きな拡散角で射出され（図４（ａ））、左方向からの映像光３１は小さな拡散角で射出される（図４（ｂ））。このようにして、左右映像ごとに視野角を異ならせることが出来る。
【００４６】
図５は、リアプロジェクション方式の多画面映像表示装置において、視野角を左右映像ごとに異ならせる第３の光学的構成を示す図である。ここでは、スクリーンの表面（入射側）には第１の光学素子群としてストライプ状偏光板４２が配置され、スクリーンの裏面（射出側）には第２の光学素子群としてレンチキュラ４３が配置される。ストライプ状偏光板４２は、複数の偏光特性を持たせるべく、Ｓ偏光を透過させる開口４２−１とＰ偏光を透過させる開口４２−２とが交互に繰り返されたパターンからなり、Ｓ偏光透過用開口４２−１の幅と、Ｐ偏光透過用開口４２−２の幅とは異なっており、ここでは、Ｓ偏光透過用開口４２−１の幅は、Ｐ偏光透過用開口４２−２の幅よりも小さく形成されている。
【００４７】
このような構成において、それぞれ異なる偏光特性を有する一対の表示素子（図示せぬ）から出力された左右方向からの映像光はそれぞれＳ偏光、Ｐ偏光状態とされてスクリーンに入射される。Ｓ偏光投影光４０は開口４２−１によりその幅が制限される。また、Ｐ偏光投影光４１は開口４２−２によってその幅が制限される。開口４２−１を透過したＳ偏光投影光４０はレンチキュラ４３から小さな拡散角で射出され、開口４２−２を透過したＰ偏光投影光４１は大きな拡散角で射出される。このようにして、左右映像ごとに視野角を異ならせることが出来る。
【００４８】
図６（Ａ）は、例えば、ＬＣＤ、ＬＣＯＳ（反射型液晶）、ＯＬＥＤ、ＤＭＤ（マイクロミラーアレイ）といった画素とレンチキュラとを組み合わせた方式の多画面映像表示装置において、視野角を左右映像ごとに異ならせる第４の光学的構成を示す図である。
【００４９】
この実施形態のスクリーンは、投影光学系は全く用いず、カラー表示が可能な光学素子群として例えばＬＣＤで構成される表示パネル５０の表示面に近接または密接させて、光拡散部材群としてプリズムシート（光学シート）５１を直接配置したものである。表示パネル５０は、Ｒ，Ｇ，Ｂの色の画素を交互にかつ規則的に配列したものである。プリズムシート５１により、表示パネル５０の各画素位置に対応して映像光の射出方向が指定される。さらに、プリズムシート５１の射出面を映像光の各照射点毎に異なる表面形状とする。ここでは、プリズムシート５１の斜面５２に拡散板５２−１を配置し、プリズムシート５１の斜面５３には拡散板５２−１を配置しないことにより、又は斜面５２と斜面５３で拡散角を変えるような表面処理をすることにより、複数種の光拡散部を実現する。
【００５０】
このような構成によれば、プリズムシート５１の斜面５３に照射されるＧの画素５０−１からの映像光及びＢの画素５０−２からの映像光は大きな拡散角で射出され、プリズムシート５１の斜面５２に照射されるＧの画素５０−３からの映像光及びＢの画素５０−４からの映像光は小さな拡散角で射出される。このようにして、左右映像ごとに視野角を異ならせることが出来る。
【００５１】
なお、表示パネル５０とプリズムシート５１とは一体成形により直接接着されるか（図６（Ｂ））、あるいは、非接触状態で別体で形成される（図６（Ｃ））。直接接触させた場合は隣の画素からの不要光が入りにくいという効果がある。
【００５２】
図７は、例えばＬＣＤ、ＬＣＯＳ、ＯＬＥＤ、ＤＭＤといった画素とレンチキュラとを組み合わせた方式の多画面映像表示装置において、視野角を左右映像ごとに異ならせる第５の光学的構成を示す図である。この実施形態のスクリーンは、カラー表示が可能な光学素子群としてＬＣＤで構成され、Ｒ，Ｇ，Ｂの色の画素を交互にかつ規則的に配列してなる表示パネル６０の表示面に近接または密接させて、レンチキュラ６１を配置し、このレンチキュラ６１の光射出面に光拡散部材群としてプリズムシート６２を配置している。表示パネルが配置されるレンチキュラ６１の光入射面は平滑構造である。レンチキュラ６１は、第１の山部６１−１と第２の山部６１−２とを交互に反復してなる構成となっており、第１の山部６１−１と第２の山部６１−２とでその曲率が異なっている。また、レンチキュラ６１はＲ，Ｇ，Ｂの各画素からの映像光が照射される位置、すなわち、第１の山部６１−１に照射されるのか第２の山部６１−２に照射されるのかによってその焦点距離を異ならせるように設計されている。
【００５３】
このような構成において、Ｇの画素６０−１からの映像光はレンチキュラ６１の第１の山部６１−１、Ｇの画素６０−２からの映像光はレンチキュラ６１の第２の山部６１−２を通ることにより互いに焦点距離が異なる映像光とされる。その後、Ｇの画素６０−１からの映像光はプリズムシート６２の斜面６２−１を通り、Ｇの画素６０−２からの映像光はプリズムシート６２の斜面６２−２を通って射出される。プリズムシート６２の２つの斜面６２−１、６２−２は傾斜が異なっており、この場合、Ｇの画素６０−１からの映像光は左方向に光路を変更されて大きな拡散角で射出される。一方、Ｇの画素６０−２からの映像光は右方向に光路を変更されて小さな拡散角で射出される。このようにして、左右映像ごとに視野角を異ならせることが出来る。
【００５４】
図８は、例えばＬＣＤ、ＬＣＯＳ、ＯＬＥＤ、ＤＭＤといった画素とレンチキュラとを組み合わせた方式の多画面映像表示装置において、視野角を左右映像ごとに異ならせる第６の光学的構成を示す図である。この実施形態のスクリーンは、カラー表示が可能な光学素子群としてＬＣＤで構成され、Ｒ，Ｇ，Ｂの色の画素を交互にかつ規則的に配列してなる表示パネル７０の表示面に近接または密接させて、光拡散部材群としてレンチキュラ７１を配置したものである。ここでの表示パネル７０は、Ｒ，Ｇ，Ｂの各画素の開口幅を右側映像用、左側映像用とでそれぞれ異なるものにして、複数種の開口幅を実現している。図８の例では、Ｇの画素の開口幅ｂはＢの画素の開口幅ａよりも大きく形成されている。
【００５５】
このような構成において、より大きい開口幅ｂをもつＧの画素７０−１からの映像光はレンチキュラ７１の山部７１−１により屈折されて大きな拡散角で図の左方向に射出される。また、より小さい開口幅ａをもつＢの画素７０−２からの映像光はレンチキュラ７１の山部７１−２により屈折されて小さな拡散角で図の右方向に射出される。このようにして、このようにして、左右映像ごとに視野角を異ならせることが出来る。画素開口を大きくすると視野角も大きくなり、画素開口を小さくすると視野角は小さくなる。
【００５６】
図９は、例えばＬＣＤ、ＬＣＯＳ、ＯＬＥＤ、ＤＭＤといった画素とレンチキュラとを組み合わせた方式の多画面映像表示装置において、視野角を左右映像ごとに異ならせる第７の光学的構成を示す図である。この実施形態のスクリーンは、カラー表示が可能な光学素子群としてＬＣＤで構成され、Ｒ，Ｇ，Ｂの色の画素を交互にかつ規則的に配列してなる表示パネル８０の表示面に近接または密接させて、光拡散部材群として、レンチキュラ８１を配置したものである。ここでの表示パネル８０は、右側映像用の画素の組と、左側映像用の画素の組を交互に配置するとともに、各組の画素の数を異ならせるようにする。例えば、左側映像用に用いられる画素Ｂ，Ｒ，Ｇの組８０−１の画素数ｂは３であり、右側映像用に用いられる画素Ｂ，Ｒの組８０−２の画素数ａは２であり、ａ＜ｂとなっている。ＬＣＤは有機ＥＬ（透過型、反射型）などの各種の表示素子により実現できる。
【００５７】
また、レンチキュラ８１は複数の映像光が射出される面はレンチキュラ構造になっているが、その裏面である表示パネル８０側は平滑構造となっている。
【００５８】
このような構成において、画素Ｂ，Ｒ，Ｇの組８０−１からの映像光はレンチキュラ８１の山部８１−１により屈折されて大きな拡散角で左方向に射出される。また、画素Ｂ，Ｒの組８０−２からの映像光はレンチキュラ８１の山部８１−２により屈折されて小さな拡散角で右方向に射出される。このようにして、左右映像ごとに視野角を異ならせることが出来る。画素の数が多い方が広い視野角となり、画素の数が少ないほど小さい視野角となる。
【００５９】
図１０は、視野角を左右映像ごとに異ならせる第８の光学的構成を示す図である。この実施形態のスクリーンは、自然光やバックライトといった外部から入射された入射光を透過させることが可能な複数の開口部を持つマスク９０と、透過型の画素パネル９２と、該マスク９０と画素パネル９２との間に置かれた光学素子群としてのレンチキュラ９１とから構成される。
【００６０】
マスク９０は、左側映像用のマスク開口部９０−１と右側映像用のマスク開口部９０−２とが１ラインおきごとに配置されており、それぞれの開口部９０−１，９０−２の位置によって映像が見える位置が限定される。また、それぞれの開口部９０−１，９０−２の開口サイズは異なっているので、左右観察領域の視野角は左右でそれぞれ異なるものになる。すなわち、開口がより広い左側映像用のマスク開口部９０−１からの入射光については視野角が大きくなり、開口がより狭い右側映像用のマスク開口部９０−２からの入射光については視野角が小さくなる。このマスク９０に、マスク９０のある方向から前記入射光を図１０における右手方向（光学素子群としてのレンチキュラ９１側）に向けて入射させると、前記入射光はマスク開口部９０−１およびマスク開口部９０−２を通過する。
【００６１】
また、レンチキュラ９１の画素パネル９２側はレンチキュラ構造となっているが、レンチキュラ９１のマスク９０側は平滑構造となっている。画素パネル９２は、レンチキュラ９１からのマスク９０より入射された入射光を射出するための開口部９２−１を備えている。この開口部９２−１には、右側映像及び左側映像を各々構成する映像光に応じて透過率を制御可能な透過型の、例えばＬＣＤといった画素が複数埋設されている。前記のような入射光がレンチキュラ９１を通過して画素パネル９２に射出されると、該入射光は画素を透過し、複数の方向に向けて映像光として複数射出される。
【００６２】
図１１（Ａ）は、左側画像を表示するときの作用を説明するための図である。マスク９０の左側映像用マスク開口部９０−１を通過した映像光は、レンチキュラ９１に入射されて画素パネル９２に向けて複数の方向に射出された後、所定透過率を有する画素パネル９２上に設けられた画素開口部９２−１を通って大きな拡散角で左方向に射出される。
【００６３】
図１１（Ｂ）は、右側画像を表示するときの作用を説明するための図である。マスク９０の右側映像用マスク開口部９０−２を通過した映像光は、レンチキュラ９１に入射されて画素パネル９２に向けて複数の方向に射出された後、所定透過率を有する画素パネル９２上に設けられた画素開口部９２−２を通って小さな拡散角で右方向に射出される。このようにして、左右映像ごとに視野角を異ならせることが出来る。
【００６４】
図１１（Ｃ）は、図１０に示すマスク９０の変形例を説明するための図である。図１０に示すマスク９０では、各ラインごとに、左側映像用のマスク開口部９０−１及び右側映像用の開口部９０−２のいずれか一方を設けているが、この変形例では、１つのライン内に、互いに開口サイズが異なる左側映像用のマスク開口部９０−３と右側映像用のマスク開口部９０−４とを設けた構成となっている。
【００６５】
図１２は、視野角を左右映像ごとに異ならせる光学的構成の具体的な応用例について説明するための図である。ここでは、本発明を図１２に示すようなカーナビにおける車載モニタ６００として利用することを考える。
【００６６】
多画面表示手法により見る方向によって異なる映像を表示可能な機能を車載モニタ６００に持たせることができる。ここでは、運転手６０１からはカーナビ映像やＩＴＳ情報表示を閲覧でき、助手席の乗客６０２や後部座席の乗客６０３，６０４からはＴＶ映像、映画映像、その他の情報検索の映像を楽しめるようにすることを考える。この場合、カーナビとしての映像は、一方では運転手６０１のみが観察できればよいので、本発明に係る例えば図３乃至図１１に示したようないずれかの方法により小さい拡散角で映像光を射出し、他方では、他の乗客６０２，６０３，６０４すべてが見やすい映像となるように、同様の方法によってより大きな拡散角で映像光を射出すればよい。
【００６７】
図１３は、視野角を左右映像ごとに異ならせる光学的構成の他の応用例について説明するための図である。最近のＩＴＳ関連の技術革新により、タクシー運転手といえども車載モニタ６１０による情報表示が必要になってきている。しかし、業務上の連絡やカーナビなどとしての映像を乗客に見せてしまうのは問題となることも多い。
【００６８】
そこで、本発明の方法により、業務連絡表示やカーナビとしての映像などについては運転手６１１のみが閲覧できるように、小さな拡散角で映像を射出し、通常の運賃などの表示については他の乗客６１２，６１３，６１４すべてが見ることができるように大きな拡散角で映像を射出するようにする。
【００６９】
図１４は、視野角を左右映像ごとに異ならせる光学的構成のさらに他の応用例について説明するための図である。ここでは本発明を対戦ゲーム用のモニタに応用することを考える。通常それぞれ違った映像で対戦ゲームを行う場合には、画面を分割したり、２台のモニターでプレイすることがほとんどであった。しかし、画面分割では表示領域が狭くなってしまうという問題があり、２台のモニターでは２台分のモニターが必要であることと、設置スペースの面でも負担が大きいという問題があった。
【００７０】
そこで、本発明に係る例えば図３乃至図１１に示したようないずれかの方法と同様の構成をとるモニタ６５０を利用して、１台でそれぞれ違った映像を異なる視野角で表示する、例えば、１プレイヤ映像観察領域に対しては小さな拡散角で映像を射出し、２プレイヤ映像観察領域に対しては大きな拡散角で映像を射出することにより、対戦ゲーム用モニターについての上記の問題点を解決することが可能になる。
【００７１】
以上、本発明の一実施形態について詳細に説明したが、以下に、本発明の参考となる構成例について説明する。
【００７２】
（構成例１）
図１５は、リアプロジェクション方式の多画面映像表示装置において、外光反射を防止する第１の光学的構成を示す図である。ここでは、スクリーンの裏面（入射側）には光学素子群としてレンチキュラ１００が配置され、スクリーンの表面（射出側）には開口部材としてのマスク１０１が配置される。レンチキュラ１００は山部１００−１と谷部（境界部）１００−２とを有している。マスク１０１はスリット部１２１〜１３０とマスキング部（遮光部）１０３〜１１３とを交互に備えたパララックスバリアからなるマスクである。
【００７３】
従来のリアプロジェクション用スクリーンの反射光防止手段では、スクリーンに対してほぼ中央から投影しているために、レンチキュラの各山部の中央部を光が通り、山部と山部の間の谷の部分は光が通らない。そのため、谷の部分にあたるところを黒くマスクしてしまって余計な反射光を防止している。
【００７４】
一方、本構成例では、図１５に示すように左右方向からの映像光１０２−１，１０２−２が２つの方向から角度を付けられて投影される。したがって、レンチキュラ１００の山部１００−１から入射した左右方向からの映像光１０２−１，１０２−２は、レンチキュラ１００の山部１００−１の中央に対応するマスク１０１の位置に集光されず、それぞれ当該中央から左右にずれた位置に集光される。
【００７５】
そこで本構成例では、レンチキュラ１００の光射出面側において、当該レンチキュラ１００の谷部１００−２と相対する位置に遮光部１０３，１０５、１０７、１０９、１１１を設けるとともに、当該レンチキュラ１００の山部１００−１と相対する位置にも所定の幅を有する遮光部１０４，１０６、１０８、１１０、１１２を設けたことを特徴とする。
【００７６】
また、本構成例では、左右方向からの映像光がレンチキュラ１００によって集光される焦点位置が略等間隔になるように配置したことを特徴とする。これによって、マスク１０１も等間隔で配置すればよくなり、製造も容易になる。また、レンチキュラ１００の山部１００−１の曲率を変更することにより射出角度を変えることも可能である。
【００７７】
上記した構成において、左方からの映像光１０２−１はレンチキュラ１００によって集光されてマスク１０１の遮光部１０７、１０８間のスリット部１２５を通って右側映像として右方に射出される。また、右方からの映像光１０２−２はレンチキュラ１００によって集光されてマスク１０１の遮光部１０８、１０９間のスリット部１２６を通って左側映像として左方に射出される。
【００７８】
図１６は、リアプロジェクション方式の多画面映像表示装置において、外光反射を防止する第２の光学的構成を示す図である。ここでは、スクリーンの裏面（入射側）には光学素子群としてレンチキュラ２００が配置され、スクリーンの表面（射出側）には開口部材としてのマスク２０１が配置される。レンチキュラ２００は山部２００−１および２００−３と谷部（境界部）２００−２および２００−４とを有し、山部２００−１の曲率は小さく形成されている。
【００７９】
マスク２０１はスリット部２２１〜２２４とマスキング部（遮光部）２０３〜２０７とを交互に備えたパララックスバリアからなるマスクである。
【００８０】
本構成例では、レンチキュラ２００の光射出面側において、マスク２０１の当該レンチキュラ２００の山部２００−１と相対する位置にのみ所定の幅を有する遮光部２０３〜２０７が設けられ、当該レンチキュラ２００の谷部２００−２は、マスク２０１のスリット部２２１〜２２４と相対している。
【００８１】
上記した構成例において、左方からの映像光２０２−１はレンチキュラ２００の山部２００−３に入射され、右方からの映像光２０２−２は、レンチキュラ２００の他の山部２００−１に入射されるが、この構成例では、レンチキュラ２００の山部２００−１の曲率を小さく形成しているので、左方からの映像光２０２−１と右方からの映像光２０２−２とは同一の位置（図ではスリット部２２３）に集光され、左方からの映像光２０２−１は右側映像として右方に射出されるとともに、右方からの映像光２０２−２は左側映像として左方に射出される。
【００８２】
上記した構成例１によれば、外光反射の少ない映像表示スクリーンを提供することができる。
【００８３】
（構成例２）
図１７は、リアプロジェクション方式の多画面映像表示装置において、左右方向からの映像光をそれぞれ別方向に屈折させるための第１の光学的構成を示す図である。ここでは、スクリーンの裏面（入射側）には第１の光学素子群としてレンチキュラ３００が配置され、スクリーンの表面（射出側）には第２の光学素子群としてプリズム３０１が配置される。
【００８４】
レンチキュラ３００の山部３００−１への映像光の入射角が浅い場合、つまり水平に近い場合は収差が発生しやすくなる。一方、該入射角が深い場合、つまり垂直に近い場合には左方からの映像光３０２−１と右方からの映像光３０２−２との分離が困難になる。そこで、本構成例では、図１７に示すようなレンチキュラ３００とプリズム３０１とから構成されるスクリーンを用いることで、収差を抑えつつ２つの映像光の左右分離を正確に行なって映像表示がだぶらないようにしている。
【００８５】
上記した構成例において、左方からの映像光３０２−１と右方からの映像光３０２−２とはレンチキュラ３００の山部３００−１から入射されるが、レンチキュラ３００の作用により分離されてプリズム３０１の異なる位置にそれぞれ集光される。すなわち、左方からの映像光３０２−１はプリズム３０１の斜面３０１−２に集光されるが、右方からの映像光３０２−２はプリズム３０１の斜面３０１−１に集光される。プリズム３０１の斜面３０１−１に集光された右方からの映像光３０２−２は左側映像として所定の角度で左方に射出される。また、プリズム３０１の斜面３０１−２に集光された左方からの映像光３０２−１は左側映像とは異なる所定の角度で右側映像として右方に射出される。
【００８６】
なお、本構成例では、レンチキュラ３００の同一の位置から左方からの映像光３０２−１と右方からの映像光３０２−２とを入射しているので、映像光を出力する一対の表示素子と、該映像光をスクリーン上へ投影する一対の投影レンズの互いの配置を近づけることができ、省スペース化に寄与することができる。
【００８７】
図１８は、リアプロジェクション方式の多画面映像表示装置において、左右方向からの映像光をそれぞれ別方向に屈折させるための第２の光学的構成を示す図である。ここでは、スクリーンの裏面（入射側）には第１の光学素子群として第１のレンチキュラ４００が配置され、スクリーンの表面（射出側）には第２の光学素子群として第２のレンチキュラ４０１が配置される。第１のレンチキュラ４００と第２のレンチキュラ４０１とはダブルレンチキュラを構成している。この構成例ではプリズムを使用しなくとも図１７に記載の構成と同一の効果を得ることを意図している。
【００８８】
上記した構成例において、左方からの映像光４０２−１と右方からの映像光４０２−２とは第１のレンチキュラ４００の山部４００−１に入射されるが、第１のレンチキュラ４００の作用により分離されて第２のレンチキュラ４０１の異なる位置にそれぞれ集光される。すなわち、左方からの映像光４０２−１は第２のレンチキュラ４０１の斜面４０１−２に集光されるが、右方からの映像光４０２−２は第２のレンチキュラ４０１の斜面４０１−１に集光される。第２のレンチキュラ４０１の斜面４０１−１に集光された右方からの映像光４０２−２は所定の角度で左側映像として左方に射出される。また、第２のレンチキュラ４０１の斜面４０１−１に集光された右方からの映像光４０２−２は左側映像として所定の角度で左方に射出される。
【００８９】
上記した構成例によれば、収差が起こりやすい水平に近い傾きの入射角で映像光を入射させるのではなく、垂直に近い傾きの入射角で映像光を入射させるということができるようになり、容易にひずみの少ない映像が得られる。
【００９０】
（構成例３）
図１９は、構成例３におけるスクリーンを用いるリアプロジェクション方式の多画面映像表示装置の光学構成を示す図である。この構成例では、拡散板やフレネルレンズを用いずにダブルレンチキュラによりスクリーンを構成し、映像光である拡散光を観察可能な平行光に変換するものである。
【００９１】
通常、映像光を観察可能な状態にするためには、拡散角の大きい拡散板スクリーンに投影させるか、または拡散している映像光をフレネルレンズ（凸レンズ）にて平行光に変換する方法が取られる。平行光にした場合でも、ある程度の観察領域を持たせたいときには多少の拡散作用のあるスクリーンが必要である。
【００９２】
リアプロジェクション用のスクリーンを構成する場合、透過率の低下を考慮すると、多くの光学素子を重ねて使用することは好ましくはない。またフレネルレンズなどは短い焦点距離で肉厚が薄いレンズを製造可能であるが、その反面、溝の端面などにおいて不要光が発生することにより画質が低下してしまうのでできるだけ使用しないようにすることが望ましい。
【００９３】
そこで本構成例では、拡散板やフレネルレンズを用いることなしに、映像光（拡散光）を平行光にし、また多少の拡散作用を持ったスクリーンを提供する。
【００９４】
図２０、図２１は、図１９のスクリーン５０２のＡで示す部分を拡大して示す図である。図２０は、フレネルレンズを用いないスクリーンの第１の例を示している。ここでのスクリーン５０２は、従来のスクリーンとは異なり、映像光がフレネルレンズによって平行光に変換されていないために、スクリーン５０２の位置によって集光位置がずれてきてしまう。しかし、ここではそのずれをうまく利用することで、映像光の射出角度を制御することができ、平行光かつ拡散効果のある射出光が得られる。
【００９５】
すなわち図２０に示すように、入射側のレンチキュラ５１０と射出側のレンチキュラ５１１−１，５１１−２とからなる表裏構造のダブルレンチキュラを使用する。ここで、射出側のレンチキュラ５１１のピッチＰ２は、入射側のレンチキュラ５１０のピッチＰ１の半分（Ｐ２＝１／２Ｐ１）であり、１つの入射側のレンチキュラ５１０が２つの射出側のレンチキュラ５１１−１，５１１−２に対応する位置にある。
【００９６】
上記した構成例において、左方向からの映像光５１２−１と右方向からの映像光５１２−２とは入射側のレンチキュラ５１０に入射されるが、該レンチキュラ５１０の作用により２つの映像光５１２−１、５１２−２は分離されて、射出側のレンチキュラ５１１−１，５１１−２の異なる位置に集光される。すなわち、左方向からの映像光５１２−１は射出側のレンチキュラ５１１−２の所定の位置に集光され、右方向からの映像光５１２−２は射出側のレンチキュラ５１１−１の所定の位置に集光される。ここで、図１９におけるスクリーン５０２の端部に近くなるほど射出側レンチキュラ５１１−１，５１１−２の角度が急な部分に光線が当たるために屈折角が急になる。
【００９７】
さらに、入射側のレンチキュラ５１０は山部が入射側に向けて突起するように配置され、射出側のレンチキュラ５１１−１，５１１−２は山部が射出側に向けて突起するように配置されており、全体として集光素子としての機能を備えている。
【００９８】
図２１は、フレネルレンズを用いないスクリーンの第２の例を示している。第２の例のスクリーンにおいても、ダブルレンチキュラにより構成されるが、ここでは図２０の例とは異なり、入射側のレンチキュラ５２０と射出側のレンチキュラ５２１とを同ピッチ（Ｐ１＝Ｐ２）で構成し、かつ所定の間隔ｈ（＝１／２ピッチ）だけずらして配置されている。
【００９９】
上記した構成例において、入射側のレンチキュラ５２０に入射した左方向からの映像光５２２−１は射出側のレンチキュラ５２１の所定の位置に集光される。また、入射側のレンチキュラ５２０に入射した右方向からの映像光５２２−２は、射出側のレンチキュラ５２１の、左方向からの映像光５２２−１と同じ位置に集光され、その後、２つの映像光５２２−１，５２２−２は分離されて射出される。
【０１００】
上記した構成例によれば、光の利用効率が良く、高輝度の光源を必要としない映像表示スクリーンを提供することができる。さらに、迷光の発生がない映像表示スクリーンを提供することができる。
【０１０１】
以下に、上記した映像表示スクリーンに関する記載から抽出可能な構成を付記として記載しておく。
【０１０２】
［付記１］
装置毎に異なる映像光を投影可能な複数の映像投影装置と、
該複数の映像投影装置から複数の映像光が異なる方向より投影される映像表示スクリーンとを具備し、複数の映像を観察者の位置によって選択的に眼球に投影する映像表示装置であって、
前記映像表示スクリーンは、
各々異なる方向から前記映像表示スクリーンに対して投影される映像光を各々異なる位置に集光させるための光学素子群と、
前記各映像光の前記光学素子群による各集光位置毎の異なる光拡散角を示す複数種の光拡散部材群とを、
それぞれスクリーンの表面又は裏面に備えていることを特徴とする映像表示装置。
【０１０３】
この構成は、例えば、上記した図３の構成に対応する。
【０１０４】
［付記２］
装置毎に異なる映像光を投影可能な複数の映像投影装置と、
該複数の映像投影装置から複数の映像光が異なる方向より投影される映像表示スクリーンとを具備し、複数の映像を観察者の位置によって選択的に眼球に投影する映像表示装置であって、
前記映像表示スクリーンは、
各々異なる方向から前記映像表示スクリーンに対して投影される映像光を各々異なる位置に集光させるための光入射面側に山部を備えた第１の光学素子群と、
該第１の光学素子群の１つの山部と相対する位置に、該山部の複数分の１の大きさで、曲率又は突起する向きがそれぞれ異なる複数の山部を備えた第２の光学素子群とを、
それぞれスクリーンの表面又は裏面に備えていることを特徴とする映像表示装置。
【０１０５】
この構成は、例えば、上記した図４の構成に対応する。
【０１０６】
［付記３］
装置毎に異なる偏光特性を有する複数の映像投影装置と、
該複数の映像投影装置から複数の映像光が異なる方向より投影される映像表示スクリーンとを具備し、複数の映像を観察者の位置によって選択的に眼球に投影する映像表示装置であって、
前記映像表示スクリーンは、
異なる偏光特性毎に対応する開口がそれぞれ異なり、複数の異なる方向から前記映像表示スクリーンに対して投影される偏光された映像光を、各々選択透過させるための開口を備えた第１の光学素子群と、
該第１の光学素子群から透過される各々の映像光を各々集光させる第２の光学素子群とを、
それぞれスクリーンの表面又は裏面に備えていることを特徴とする映像表示装置。
【０１０７】
この構成は、例えば、上記した図５の構成に対応する。
【０１０８】
［付記４］
前記第１の光学素子群は、複数の偏光特性を持つ偏光板をそれぞれ交互に組み合わせた偏光板群であることを特徴とする付記３に記載の映像表示装置。
【０１０９】
この構成は、上記した図５の構成に対応する。
【０１１０】
［付記５］
装置毎に異なる偏光特性を有する複数の映像投影装置と、
該複数の映像投影装置から複数の映像光が異なる方向より投影される映像表示スクリーンとを具備し、複数の映像を観察者の位置によって選択的に眼球に投影する映像表示装置であって、
前記映像表示スクリーンは、
複数の異なる方向から映像光を入射される光学素子群で、該映像光を各々スクリーン表面に集光させるための、光入射面側に複数の山部及び境界部である複数の谷部を備えた光学素子群と、
該光学素子群の光射出面側に、該光学素子群の各山部と相対する位置に各々所定の幅を有する遮光部が構成された開口部材とを、
それぞれスクリーンの表面又は裏面に備えていることを特徴とする映像表示装置。
【０１１１】
この構成は、例えば、上記した図１５、１６の構成に対応する。
【０１１２】
［付記６］
装置毎に異なる偏光特性を有する複数の映像投影装置と、
該複数の映像投影装置から複数の映像光が異なる方向より投影される映像表示スクリーンとを具備し、複数の映像を観察者の位置によって選択的に眼球に投影する映像表示装置であって、
前記映像表示スクリーンは、
複数の異なる方向から映像光を入射される光学素子で、該各映像光を前記スクリーン表面の各々異なる位置に集光させるための第１の光学素子群と、
前記第１の光学素子群による、前記各映像光の各集光位置毎に異なる光射出角を有する第２の光学素子群とを、
それぞれスクリーンの表面又は裏面に備えていることを特徴とする映像表示装置。
【０１１３】
この構成は、例えば、上記した図１７、１８、２０、２１の構成に対応する。
【０１１４】
［付記７］
装置毎に異なる映像光を投影可能な複数の映像投影装置から、
複数の異なる方向から映像表示スクリーンに対して投影される映像光を、各々異なる位置に集光させるための光学素子群と、
前記各映像光の前記光学素子群による各集光位置毎に、異なる光拡散角を示す複数の光拡散部材群とを、それぞれ前記スクリーンの表面又は裏面に備えている前記映像表示スクリーンに対し、
複数の異なる方向より映像を構成する複数の映像光を投影することを特徴とする、複数の映像を観察者の位置によって選択的に眼球に投影するための映像表示方法。
【０１１５】
この構成は、例えば、上記した図３の構成に対応する。
【０１１６】
［付記８］
装置毎に異なる映像光を投影可能な複数の映像投影装置から、
複数の異なる方向から映像表示スクリーンに対して投影される映像光を、各々異なる位置に集光させるための、光入射側に山部を備えた第１の光学素子群と、  該第１の光学素子群の１つの山部と相対する位置に、該山部の複数分の１の大きさで、曲率又は突起する向きがそれぞれ異なる複数の山部を備えた第２の光学素子群とを、
それぞれ前記スクリーンの表面又は裏面に備えていることを特徴とする前記映像表示スクリーンに対し、
複数の異なる方向より映像を構成する複数の映像光を投影することを特徴とする、複数の映像を観察者の位置によって選択的に眼球に投影するための映像表示方法。
【０１１７】
この構成は、例えば、上記した図４の構成に対応する。
【０１１８】
［付記９］
装置毎に異なる映像光を投影可能な複数の映像投影装置から、
複数の異なる偏光特性毎に対応する開口がそれぞれ異なり、複数の異なる方向から映像表示スクリーンに対して投影される偏光された映像光を、各々選択透過させるための開口を備えた第１の光学素子群と、
該第１の光学素子群から透過される前記各々の映像光を、各々集光させる第２の光学素子群とを、それぞれスクリーンの表面又は裏面に備えていることを特徴とする前記映像表示スクリーンに対し、
複数の異なる方向より映像を構成する複数の映像光を投影することを特徴とする、複数の映像を観察者の位置によって選択的に眼球に投影するための映像表示方法。
【０１１９】
この構成は、例えば、上記した図５、６の構成に対応する。
【０１２０】
［付記１０］  前記第１の光学素子群は、複数の偏光特性を持つ偏光板をそれぞれ交互に組み合わせた偏光板群であることを特徴とする付記９に記載の映像表示方法。
【０１２１】
この構成は、例えば、上記した図５の構成に対応する。
【０１２２】
［付記１１］  装置毎に異なる映像光を投影可能な複数の映像投影装置から、
複数の異なる方向から映像光を入射される光学素子群で、該映像光を各々スクリーン表面に集光させるための、光入射面側に複数の山部及び境界部である複数の谷部を備えた光学素子群と、
該光学素子群の光射出面側に、該光学素子群の前記各山部と相対する位置に各々所定の幅を有する遮光部が構成された開口部とを、それぞれ前記スクリーンの表面又は裏面に備えていることを特徴とする映像表示スクリーンに対し、
複数の異なる方向より映像を構成する複数の映像光を投影することを特徴とする、複数の映像を観察者の位置によって選択的に眼球に投影するための映像表示方法。
【０１２３】
この構成は、例えば、上記した図１５、１６の構成に対応する。
【０１２４】
［付記１２］
装置毎に異なる映像光を投影可能な複数の映像投影装置から、
複数の異なる方向から映像光を入射される光学素子で、該各映像光を前記スクリーン表面の各々異なる位置に集光させるための第１の光学素子群と、前記第１の光学素子群による前記各映像光の各集光位置毎に対して、異なる光射出角を有する第２の光学素子群とを、それぞれ前記スクリーンの表面又は裏面に備えていることを特徴とする映像表示スクリーンに対し、
複数の異なる方向より映像を構成する複数の映像光を投影することを特徴とする、複数の映像を観察者の位置によって選択的に眼球に投影するための映像表示方法。
【０１２５】
この構成は、例えば、上記した図１７、１８、２０、２１の構成に対応する。
【図面の簡単な説明】
【０１２６】
【図１】本発明の一実施形態の基本的概念を説明するための図である。
【図２】リアプロジェクション方式の多画面映像表示装置の構成を示す図である。
【図３】リアプロジェクション方式の多画面映像表示装置であり、視野角を左右映像ごとに異ならせる第１の光学的構成を示す図である。
【図４】リアプロジェクション方式の多画面映像表示装置であり、視野角を左右映像ごとに異ならせる第２の光学的構成を示す図である。
【図５】リアプロジェクション方式の多画面映像表示装置であり、視野角を左右映像ごとに異ならせる第３の光学的構成を示す図である。
【図６】画素とレンチキュラとを組み合わせた方式の多画面映像表示装置であり、視野角を左右映像ごとに異ならせる第４の光学的構成を示す図である。
【図７】画素とレンチキュラとを組み合わせた方式の多画面映像表示装置であり、視野角を左右映像ごとに異ならせる第５の光学的構成を示す図である。
【図８】画素とレンチキュラとを組み合わせた方式の多画面映像表示装置であり、視野角を左右映像ごとに異ならせる第６の光学的構成を示す図である。
【図９】画素とレンチキュラとを組み合わせた方式の多画面映像表示装置であり、視野角を左右映像ごとに異ならせる第７の光学的構成を示す図である。
【図１０】視野角を左右映像ごとに異ならせる第８の光学的構成を示す図である。
【図１１】（Ａ）は、図１０の構成において、左側画像を表示するときの作用を説明するための図であり、（Ｂ）は、右側画像を表示するときの作用を説明するための図であり、（Ｃ）は、マスク９０の変形例を説明するための図である。
【図１２】視野角を左右映像ごとに異ならせる光学的構成の具体的な応用例について説明するための図である。
【図１３】視野角を左右映像ごとに異ならせる光学的構成の他の応用例について説明するための図である。
【図１４】視野角を左右映像ごとに異ならせる光学的構成のさらに他の応用例について説明するための図である。
【図１５】構成例１としてのリアプロジェクション方式の多画面映像表示装置であり、外光反射を防止する第１の光学的構成を示す図である。
【図１６】リアプロジェクション方式の多画面映像表示装置であり、外光反射を防止する第２の光学的構成を示す図である。
【図１７】構成例２としてのリアプロジェクション方式の多画面映像表示装置であり、左右方向からの映像光をそれぞれ別方向に屈折させるための第１の光学的構成を示す図である。
【図１８】リアプロジェクション方式の多画面映像表示装置であり、左右方向からの映像光をそれぞれ別方向に屈折させるための第２の光学的構成を示す図である。
【図１９】構成例３としての、フレネルレンズを用いずダブルレンチキュラにより構成されたスクリーンを用いた多画面映像表示装置の構成を示す図である。
【図２０】フレネルレンズを用いないスクリーンの第１の例を示す図である。
【図２１】フレネルレンズを用いないスクリーンの第２の例を示す図である。
【符号の説明】
【０１２７】
１  スクリーン面
３−１，３−２  表示素子
２−１，２−２  投影レンズ
４，５，６  人物
１０−１，１０−２  表示素子
１１−１，１１−２  投影レンズ
１２  凸レンズ
１３  スクリーン
１４−１，１４−２  観察者
２２  レンチキュラ
２３  拡散板
【図１】
2006317941.tif 000003
【図２】
2006317941.tif 000004
【図３】
2006317941.tif 000005
【図４】
2006317941.tif 000006
【図５】
2006317941.tif 000007
【図６】
2006317941.tif 000008
【図７】
2006317941.tif 000009
【図８】
2006317941.tif 000010
【図９】
2006317941.tif 000011
【図１０】
2006317941.tif 000012
【図１１】
2006317941.tif 000013
【図１２】
2006317941.tif 000014
【図１３】
2006317941.tif 000015
【図１４】
2006317941.tif 000016
【図１５】
2006317941.tif 000017
【図１６】
2006317941.tif 000018
【図１７】
2006317941.tif 000019
【図１８】
2006317941.tif 000020
【図１９】
2006317941.tif 000021
【図２０】
2006317941.tif 000022
【図２１】
2006317941.tif 000023